【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
電子データの設定を更新し且つ電子装置に物理的な識別情報を供給する装置であって、
物理的データ交換記憶媒体と、
前記物理的データ交換記憶媒体が挿入される分離型物理的データ交換記憶媒体の担体ユニットであって、
前記物理的データ交換記憶媒体が前記電子装置内に挿入され、前記分離型物理的データ交換記憶媒体の担体ユニットの一部が前記電子装置の外部表面に物理的に外部露出したままになるように、前記分離型物理的データ交換記憶媒体の担体ユニットは、前記電子装置内に挿入されるように、設定されることを特徴とする前記分離型物理的データ交換記憶媒体の担体ユニットと、
前記分離型物理的データ交換記憶媒体が前記電子装置に挿入されるとき、前記分離型物理的データ交換記憶媒体の担体ユニットにおける前記電子装置の外部表面に外部露出した部分で目に見えるよう設定される物理的ラベルと、
を含む装置。
【請求項２】
前記物理的データ交換記憶媒体が、加入者識別モジュール（ＳＩＭ）カードである、請求項１に記載の装置。
【請求項３】
前記物理的データ交換記憶媒体の外側の物理的断面が、前記物理的データ交換記憶媒体が挿入される前記分離型物理的データ交換記憶媒体の担体ユニット内のスロットの内側の物理的断面と互換性があるよう設定される、請求項１に記載の装置。
【請求項４】
前記物理的データ交換記憶媒体の前記外側の物理的断面は、前記外側の物理的断面に少なくとも１つの追加的な突起部または窪み部が設けられるように、設定され、前記突起部または窪み部は、前記分離型物理的データ交換記憶媒体の担体ユニット内の前記スロットの前記内側の物理的断面上の付随する少なくとも１つの追加的な突起部または窪み部に対応する、請求項３に記載の装置。
【請求項５】
前記分離型物理的データ交換記憶媒体の担体ユニットの部分の外側の物理的断面は、前記外側の物理的断面が前記分離型物理的データ交換記憶媒体の担体ユニットの前記部分が挿入される前記電子装置内のスロットの内側の物理的断面と互換性があるように、設定される、請求項１に記載の装置。
【請求項６】
前記分離型物理的データ交換記憶媒体の担体ユニットの前記部分の前記外側の物理的断面は、前記外側の物理的断面に少なくとも１つの追加的な突起部または窪み部が設けられるように、設定され、前記突起部または窪み部は、前記電子装置内の前記スロットの前記内側の物理的断面上の付随する少なくとも１つの追加的な突起部または窪み部に対応する、請求項５に記載の装置。
【請求項７】
前記物理的データ交換記憶媒体は、前記電子装置の動作特性を変更する電子データでプログラムされ、
前記物理的なラベルは、前記変更された動作特性の対応する表示を提供する、
請求項１に記載の装置。
【請求項８】
前記物理的データ交換記憶媒体が、前記動作特性の変更と前記電子装置との間の互換性を確認するためのデータでさらにプログラムされる、請求項７に記載の装置。
【請求項９】
前記物理的なラベルは、前記分離型物理的データ交換記憶媒体の担体ユニット内に形成されるか、貼り付けられるかのどちらか一方である、請求項１に記載の装置。
【請求項１０】
更新された電子データの設定を伴う電子装置であって、
動作特性のセットを含む更新された電子装置でプログラムされたプロセッサと、
物理的データ交換記憶媒体から読み出されたデータに基づく前記動作特性のセットを読み且つ更新するためのデータ読み取り装置と、
前記物理的データ交換記憶媒体が挿入される分離型物理的データ交換記憶媒体の担体ユニットを受取るための受取りスロットであって、前記分離型物理的データ交換記憶媒体が前記受取りスロットに挿入されるとき、前記分離型物理的データ交換記憶媒体の担体ユニットの前記電子装置の外部表面に物理的に外部露出された一部で物理的なラベルを見えるよう露出するために、前記物理的データ交換記憶媒体が前記電子装置内に挿入され、前記分離型物理的データ交換記憶媒体の担体ユニットの前記一部が前記電子装置の外部表面に物理的に外部露出したままになるように、前記分離型物理的データ交換記憶媒体の担体ユニットは、前記電子装置内に挿入されるように、設定されることを特徴とする前記受取りスロットと、
を備える電子装置。
【請求項１１】
前記物理的データ交換記憶媒体が、加入者識別モジュール（ＳＩＭ）カードである、請求項１０記載の電子装置。
【請求項１２】
前記分離型物理的データ交換記憶媒体の担体ユニットの一部の外側の物理的断面が、前記受取りスロットの内側の物理的断面と互換性があるよう設定される、請求項１０に記載の電子装置。
【請求項１３】
前記分離型物理的データ交換記憶媒体の担体ユニットの一部の前記外側の物理的断面は、少なくとも１つの追加的な突起部または窪み部が設けられように設定され、前記突起部または窪み部は、前記受取りスロットの前記内側の物理的断面上の付随する少なくとも１つの追加的な突起部または窪み部に対応する、請求項１２に記載の電子装置。
【請求項１４】
前記物理的データ交換記憶媒体が、前記電子装置の動作特性を変更する電子データでプログラムされ、
前記物理的なラベルが前記変更された動作特性の対応する表示を提供する、請求項１０に記載の電子装置。
【請求項１５】
前記物理的データ交換記憶媒体が、前記動作特性の変更と前記電子装置との間の互換性を確認するための記録されたデータでさらにプログラムされ、
前記プロセッサが、前記互換性を確認するための記録されたデータを使用して、前記互換性を確認するための計画を実行するようにさらにプログラムされる、
請求項１４に記載の電子装置。
【請求項１６】
電子データの設定を更新し且つ電子装置に物理的な識別情報を供給するための方法であって、
物理的データ交換記憶媒体を提供することと、
分離型物理的データ交換記憶媒体の担体ユニットを提供することと、
物理的なラベルを提供することと、
前記分離型物理的データ交換記憶媒体の担体ユニットの中に前記物理的データ交換記憶媒体を挿入し且つ前記分離型物理的データ交換記憶媒体の担体ユニットの外側部分に前記物理的なラベルを取り付けることであって、前記外側部分は、電子装置への挿入のための組み合わされた担体ユニットを生成するために、前記電子装置の外部表面に物理的に露出したままになることを特徴とする前記挿入し且つ前記取り付けることと、
前記物理的なラベルを前記電子装置のスロットに挿入することであって、前記電子装置の物理的な前記外部表面に物理的な識別情報を提供するために、前記組み合わされた担体ユニットが前記電子装置に挿入される時に、前記物理的なラベルと共に前記組み合わされた担体ユニットの外側部分は、前記電子装置の外部表面に物理的に外部露出したままになることを特徴とする前記挿入することと、
前記分離型物理的データ交換記憶媒体からデータを読み出すことによって前記電子装置の電子データの設定を更新することであって、前記物理的なラベルは、前記更新された電データの設定の対応する表示を提供する前記電子装置の前記外部表面で露出されることを特徴とする前記更新することと、
を含む、方法。
【請求項１７】
前記物理的データ交換記憶媒体が、加入者識別モジュール（ＳＩＭ）カードである、請求項１６に記載の方法。
【請求項１８】
前記物理的データ交換記憶媒体の外側の物理的断面を、前記物理的データ交換記憶媒体が挿入される前記分離型物理的データ交換記憶媒体の担体ユニットの中のスロットの内側の物理的断面との互換性とマッチさせることをさらに備えた請求項１６に記載の方法。
【請求項１９】
前記物理的データ交換記憶媒体の前記外側の物理的断面は、少なくとも１つの追加的な突起部または窪み部が設けられように設定され、前記突起部または窪み部は、前記分離型物理的データ交換記憶媒体の担体ユニットの中の前記スロットの前記内側の物理的断面上の付随する少なくとも１つの追加的な突起部または窪み部に対応する、請求項１８に記載の方法。
【請求項２０】
前記分離型物理的データ交換記憶媒体の担体ユニットの部分の外側の物理的断面を、前記分離型物理的データ交換記憶媒体の担体ユニットの前記部分が挿入される前記電子装置の中のスロットの内側の物理的断面とマッチさせることを更に備えた請求項１６に記載の方法。
【請求項２１】
前記分離型物理的データ交換記憶媒体の担体ユニットの前記部分の前記外側の物理的断面は、少なくとも１つの追加的な突起部または窪み部が設けられるように設定され、前記突起部または窪み部は、前記電子装置内の前記スロットの前記内側の物理的断面上の付随する少なくとも１つの追加的な突起部または窪み部に対応する、請求項２０に記載の方法。
【請求項２２】
前記物理的データ交換記憶媒体に記録されたデータに基づいて、前記電子データの設定の更新のためのデータと前記電子装置との間の互換性を確認することを更に備えた請求項１６に記載の方法。